(57)【要約】【課題】ペツトボトルにおいて、タンパーリングの嵌合溝に切断用の開口部を設けることにより、ボトル首部からのタンパーリングの切断除去を容易となす。【解決手段】ボトル首部の下部周囲に形成したサポートリングと、上部周囲のねじ部の下側周囲に形成した係止リングとの間をタンパーリングの嵌合溝とする。その嵌合溝の上下同位置にタンパーリングの切断用開口部をサポートリングと係止リングの同位置を首部側面まで切欠して設ける。【選択図】図１
2009083858.tif 000002
【特許請求の範囲】
【請求項１】
ボトル首部の下部周囲に形成したサポートリングと、上部周囲のねじ部の下側周囲に形成した係止リングとの間をタンパーリングの嵌合溝とするボトルにおいて、その嵌合溝の上下同位置にタンパーリングの切断用開口部を、サポートリングと係止リングの同位置を部分的に首部側面まで切欠して設けてなることを特徴とするキャップのタンパーリング切断用開口部を有するペットボトル。
【発明の詳細な説明】
【技術分野】
【０００１】
この発明は、ボトル首部の下部周囲に嵌合したキャップのタンパーリングを切断する開口部を有するペットボトルに関するものである。
【背景技術】
【０００２】
ポリエチレンテレフタレートを成形材料とする飲料用等のペットボトルについては、再生材料としての利用が可能なことから、使用後に回収しているが、ボトルに取り付けられている他の成形素材によるキャップやラベルなどは、廃棄時に除去することが要求されている。
【０００３】
しかしながら、他の合成樹脂（例えばポリエチレン）により成形されたキャップは、キャップ本体の開口縁にタンパーリングと称されているキャップ本体の回動阻止用のリングが一体成形してあり、このタンパーリングがキャップ本体を取り除いた後もボトル首部の嵌合溝に嵌り込んで残っている。
【０００４】
このタンパーリングはリング内側に折曲形成した係止片によって首部上方への抜き外しができないことから、その取り外しは切断したのちにリングを拡開して行っており、その切断を専用の切断具を使用して行っている。
【特許文献１】特開２００２−１５９７６３号公報
【発明の開示】
【発明が解決しようとする課題】
【０００５】
上記切断具は鋏の一方の刃先に引っ掛け部を折曲して備え、その引っ掛け部を嵌合溝内のタンパーリングの下側の間隙からリング内側に挿入し、その刃先でリング下縁を支持しながら他方の刃先とで鋏み切るようにしている。このような切断具では、鋏を開いて折曲した引っ掛け部を隙間に差込んでから、引っ掛け部を軸に鋏を回動しなければ、引っ掛け部をリング内側に回し入れることができないので、意外に手間を要するという課題がある。
【０００６】
また嵌合溝の下側にあるサポートリングに切断用の開口部を設け、この開口部からタンパーリングの下縁に鋏の一方の刃先を当接して挟み切ることも考えられるが、タンパーリングの下側は折曲形成した内側の係止片によって厚肉に形成されているので、下縁からの切断は難しく、普通の鋏によるタンパーリングの切断は困難とされている。
【０００７】
この発明は上記事情から考えられたものであって、その目的は、切断用の開口部の設け方によって普通の鋏でもタンパーリングの切断が容易に行えるように、ボトル首部を構成したペットボトルを提供することにある。
【課題を解決するための手段】
【０００８】
上記目的によるこの発明は、ボトル首部の下部周囲に形成したサポートリングと、上部周囲のねじ部の下側周囲に形成した係止リングとの間をタンパーリングの嵌合溝とするボトルにおいて、その嵌合溝の上下同位置にタンパーリングの切断用開口部を、サポートリングと係止リングの同位置を首部側面まで切欠して設けてなる、というものである。
【発明の効果】
【０００９】
上記構成では、タンパーリングの嵌合溝にタンパーリング切断用の開口部を設けたので、鋏や専用の切断具の刃先を開口から嵌合溝内のタンパーリングに当接でき、サポートリングとタンパーリングとの隙間に刃先を差し込んで切断を行う場合よりも、タンパーリングの切断が確実に行えるようになり、刃先の形状から隙間に差し込めない鋏でもタンパーリングの切断に使用できるようになる。
【００１０】
またタンパーリングは、リング下端から内側に折曲形成した係止片により、リング下側が上側より厚肉となっているので、嵌合溝の上下同位置に切断用開口部を設けると、刃先がリング下部よりも薄肉のリング上部にも掛かることから、切断用開口部を嵌合溝の下側に設けた場合よりも切断し易くなり、さらに刃先がタンパーリングをリング上下から挟んで切断するので、タンパーリングの切断除去が通常の鋏でも簡単に行えるようになる。
【発明を実施するための最良の形態】
【００１１】
図中１はポリエチレンテレフタレート（ペット）を延伸ブローして成形したボトルで、胴部２と一体形成したボトル首部３を有する。このボトル首部３の下部周囲にはサポートリング４が形成してあり、上部周囲にはねじ部５が形成してある。またねじ部５の下側周囲には係止リング６がサポートリング４と並行に形成してあり、その係止リング６とサポートリング４との間をタンパーリングの嵌合溝７に形成してある。
【００１２】
上記嵌合溝７の上下同位置には、サポートリング４と係止リング６の同位置を首部側面まで部分的に切欠して形成したタンパーリングの切断用開口８，９が設けてある。
【００１３】
このようなボトル首部３には、図３に示すように、内ねじのキャップ本体１０ａの開口縁にタンパーリング１０ｂを部分接続して一体形成した密封用の合成樹脂製のキャップ１０が、タンパーリング１０ｂが係止リング６を乗り越えて嵌合溝７に嵌り込むところまで、内ねじをねじ部５に螺合して被せてある。
【００１４】
上記タンパーリング１０ｂの内側には、リング下端から内側に折曲形成した係止片１０ｂ′があり、この係止片１０′が嵌合溝内で上向きに開いて係止リング６の下側に位置して、タンパーリング１０ｂの上方への抜け出しを阻止している。このためキャップ１０を回動してキャップ本体１０ａから切り放した後も、タンパーリング１０ｂは嵌合溝７に嵌り込んで首部周囲に残る。
【００１５】
この嵌合溝内のタンパーリング１０ｂは、キャップ本体１０ａを取り外し後も内側の係止片１０ｂ′が邪魔となって、係止リング６から上方へ抜き外すことがでないことから、タンパーリング１０ｂの除去は切断により行う。この切断は図４に示すように、鋏１１を縦に開いて一方の刃先をサポートリング４の開口部８の下側に、他方の刃先を係止リング６の開口部９の上側に位置させ、その両方の先端を首部壁面に押し当てながら鋏１１を強く閉じることにより行い得る。
【００１６】
鋏１１の閉じにより両方の刃先は、上下同位置の開口部８，９から嵌合溝内のタンパーリング１０ｂの上下端に掛かって刃が食い込んでゆく、これによりタンパーリング１０ｂは上下から強く挟まれて切断される。またタンパーリング１０ｂでは係止片１０ｂ′を折曲形成したリング下側よりもリング上側が薄肉なので、切断はリング上側から下側へと移行する傾向にある。このようなことから通常の鋏でも切断除去が簡単に行えるので、専用の切断具がなくともペットボトルの廃棄に際するタンパーリング１０ｂの取り外しを面倒なく行えるようになる。
【図面の簡単な説明】
【００１７】
【図１】この発明に係わるペットボトルのボトル首部の正面図である。
【図２】図１におけるＡ−Ａ線断面図である。
【図３】キャップを取付けた状態でのボトル首部の半部縦断正面図である。
【図４】タンパーリングの切断状態を示すボトル首部の半部縦断正面図である。
【符号の説明】
【００１８】
１    ボトル
３    ボトル首部
４    サポートリング
５    ねじ部
６    係止リング
７    嵌合溝
８，９  タンパーリング切断用開口部
１０    キャップ
１０ａ  キャップ本体
１０ｂ  タンパーリング
１０ｂ′係止片
【図１】
2009083858.tif 000003
【図２】
2009083858.tif 000004
【図３】
2009083858.tif 000005
【図４】
2009083858.tif 000006